(57)【要約】【課題】簡単な構成でディスク状の記録媒体の挿脱時に情報処理部を保護するディスクドライブ部を提供する。【解決手段】筐体１１０の開口部１１１に臨んで、ターンテーブル２１２Ｂおよび光ピックアップを有する情報処理部２１３が位置する状態に本体部２１０を配設し、開口部１１１を開閉可能に閉塞する蓋体２２０を設ける。蓋体２２０が開口部１１１を開放して開いた状態でピックアップレンズ２１３Ａを保護部２３１Ａで覆い、蓋体２２０が開口部１１１を閉塞して閉じた状態では覆う状態を解除して露出させるとともに、ターンテーブル２１２Ｂに軸支する光ディスク１の外周縁から離間する位置に移動する覆い体２３０を設ける。光ディスク１の着脱の際に蓋体２２０が開いて情報処理部２１３が露出する状態でも、利用者の手や光ディスク１が接触せず移動する覆い体２３０を設ける簡単な構成で確実に情報処理部２１３を保護できる。【選択図】図１
2007134008.tif 000002
【特許請求の範囲】
【請求項１】
開口部を有する筐体と、
この筐体内に配設され、前記開口部に臨みディスク状の記録媒体を回転可能に保持する保持部、および、前記開口部に臨み前記保持部に保持された前記記録媒体へ情報を記録する記録処理および前記記録媒体に記録された情報を読み取る読取処理のうちの少なくともいずれか一方を実施する情報処理部を備えた本体部と、
前記筐体に移動可能に設けられ前記開口部を開閉可能に閉塞する蓋体と、
前記本体部に移動可能に設けられ、前記蓋体が前記開口部を開放する状態で前記情報処理部の少なくとも一部を覆い、前記蓋体が前記開口部を閉塞する状態で前記情報処理部を覆う状態を解除する位置でかつ前記保持部に保持された前記記録媒体の外周縁から離間する位置に移動される覆い体と、
を具備したことを特徴としたディスク装置。
【請求項２】
請求項１に記載のディスク装置であって、
前記蓋体は、係止部を有し、
前記覆い体は、前記蓋体による前記開口部の開閉に応じて前記係止部が係脱する係合部を有し、前記蓋体が前記開口部を閉塞する際に前記係止部が前記係合部に係合することで前記情報処理部を覆う位置から移動される
ことを特徴としたディスク装置。
【請求項３】
請求項２に記載のディスク装置であって、
前記係止部は、前記蓋体が前記開口部を閉塞する状態に移動する移動方向に向けて突出する凸状に形成され、
前記係合部は、前記係止部が挿脱可能で前記係止部の先端部が滑動することで前記覆い体を移動させる傾斜面を有する凹状に形成された
ことを特徴としたディスク装置。
【請求項４】
請求項１ないし請求項３のいずれかに記載のディスク装置であって、
前記蓋体が前記開口部を開放する状態で弾性変形による復元力で前記覆い体を前記情報処理の少なくとも一部を覆う状態に位置させ、前記蓋体が前記開口部を閉塞する状態で弾性変形されて前記情報処理部を覆う状態を解除する方向へ前記覆い体の移動を可能とする弾性部材を具備した
ことを特徴としたディスク装置。
【請求項５】
請求項１ないし請求項４のいずれかに記載のディスク装置であって、
前記覆い体は、前記蓋体が前記開口部を開放する状態で前記保持部に保持される前記記録媒体の外周縁に当接する
ことを特徴としたディスク装置。
【請求項６】
請求項１ないし請求項５のいずれかに記載のディスク装置であって、
前記開口部が開放される状態で前記情報処理部を前記保持部から最も離間する待機位置に位置させる制御部を具備し、
前記覆い体は、前記蓋体が前記開口部を開放する際に前記待機位置に位置する前記情報処理部の少なくとも一部を覆う状態に設けられた
ことを特徴としたディスク装置。
【請求項７】
請求項１に記載のディスク装置であって、
前記蓋体による前記開口部の開閉状態を検出する検出手段と、
前記検出手段により、前記開口部が開放することを検出すると前記覆い体にて前記情報処理部の少なくとも一部を覆う状態に位置させ、前記開口部が閉塞されることを検出すると前記覆い体を前記情報処理部を覆う状態が解除され前記記録媒体の外周縁から離間する状態に位置させる移動手段と、を具備した
ことを特徴としたディスク装置。
【発明の詳細な説明】
【技術分野】
【０００１】
本発明は、ディスク状の記録媒体を回転可能に保持して情報処理するディスク装置に関する。
【背景技術】
【０００２】
従来、ディスク状の記録媒体に記録された情報を読み取る読取処理や記録媒体に情報を記録する記録処理などの情報処理を実施するディスク装置として、情報処理を実施するピックアップを保護する構成が知られている。（例えば、特許文献１参照）。
【０００３】
この特許文献１に記載のものは、ディスク装填トレイと再生部を一体としてピックアップ部をディスク外周方向へ待避可能に配設している。そして、待避したピックアップ部およびレンズをシャッターで覆う構成が採られている。このシャッターは、ピックアップ部がディスク外周方向へ移動された際に当接して回動されることで覆うようになっている。
【０００４】
【特許文献１】特開２００３−３０９４１号公報
【発明の開示】
【発明が解決しようとする課題】
【０００５】
しかしながら、上述したような特許文献１のような構成では、ピックアップ部の移動によりシャッターに当接して伸縮部材に抗して回動させピックアップ部およびレンズを覆う構成としているので、シャッターに当接する際の衝撃がピックアップ部に作用し損傷するおそれがある問題点が一例として挙げられる。さらには、伸縮部材に抗してピックアップ部を移動させるための高い剛性と搬送力とが必要となり、ピックアップ部を移動させるための構成が大型化するおそれもある問題点が一例として挙げられる。
【０００６】
本発明は、このような実情などに鑑みて、簡単な構成でディスク状の記録媒体の挿脱時に情報処理部を保護するディスク装置を提供することを１つの目的とする。
【課題を解決するための手段】
【０００７】
請求項１に記載の発明は、開口部を有する筐体と、この筐体内に配設され、前記開口部に臨みディスク状の記録媒体を回転可能に保持する保持部、および、前記開口部に臨み前記保持部に保持された前記記録媒体へ情報を記録する記録処理および前記記録媒体に記録された情報を読み取る読取処理のうちの少なくともいずれか一方を実施する情報処理部を備えた本体部と、前記筐体に移動可能に設けられ前記開口部を開閉可能に閉塞する蓋体と、前記本体部に移動可能に設けられ、前記蓋体が前記開口部を開放する状態で前記情報処理部の少なくとも一部を覆い、前記蓋体が前記開口部を閉塞する状態で前記情報処理部を覆う状態を解除する位置でかつ前記保持部に保持された前記記録媒体の外周縁から離間する位置に移動される覆い体と、を具備したことを特徴としたディスク装置である。
【発明を実施するための最良の形態】
【０００８】
以下、本発明の一実施の形態を図面に基づいて説明する。図１は、本発明の一実施の形態に係るディスク装置としての携帯型の撮像装置の概略構成で蓋体が開けられた状態を示す外観斜視図である。図２は、撮像装置のディスクドライブ部における蓋体が開放した状態を示す断面図である。図３は、ディスクドライブ部における蓋体が閉まる途中の状態を示す断面図である。図４は、ディスクドライブ部における蓋体が閉まった状態を示す断面図である。なお、図１は、説明の都合上、実際には視認できないが、ピックアップレンズの位置を黒丸表示している。また、図２ないし図４は、説明の都合上、筐体を省略しターンテーブルおよび覆い体が空中に浮いた状態で示す。
【０００９】
〔録画装置の構成〕
図１において、１００は、本発明のディスク装置を備えた一実施の形態に係る撮像装置であり、この撮像装置１００は、撮像により取得した静止画像や映像などの画像データ、さらには集音により取得した音データを、記録媒体としての例えば光ディスク１に記録するとともに、光ディスク１に記録された画像データや音データを出力する装置である。この撮像装置は、撮像や集音を実施する利用者が片手で把持可能な筐体１１０を有している。この筐体１１０内には、図示しない、操作部と、撮像部と、集音部と、表示部と、発音部と、ディスク装置としてのディスクドライブ部２００と、が設けられている。
【００１０】
また、筐体１１０には、利用者が片手で把持した状態での一側面に筐体１１０内に連通する開口部１１１が設けられている。この開口部１１１は、筐体１１０の前後方向（図１中で左右方向）で長手状に開口形成されている。また、開口部１１１の長手方向の両側近傍には、開口部１１１と同方向に長手状の対をなす図示しないスリットが設けられている。さらに、筐体１１０には、一側面に、開口部１１１およびスリットを囲む状態で筒状に突出するリブ１１２が一体に設けられている。リブ１１２は、筐体１１０の前後方向に長手状で、筐体１１０の正面側が半円状に湾曲する状態で筐体１１０の背面側が角柱状となる略古墳形状に形成されている。
【００１１】
操作部は、利用者が入力操作する操作ボタンや操作つまみなどを有し、入力操作に応じた所定の信号を出力する。撮像部は、操作部からの撮像要求の信号に基づいて、筐体１１０の外面である正面に望んで設けられた撮像レンズ１２０を介して撮像して画像データを生成する。そして、撮像部は、生成した画像データをディスクドライブ部２００や表示部へ適宜出力する。集音部は、操作部からの集音要求の信号に基づいて、筐体１１０の外面に望んで設けられた図示しないマイクを介して集音し音データを生成する。そして、集音部は、生成した音データをディスクドライブ部２００や発音部へ適宜出力する。表示部は、撮像部やディスクドライブ部２００から出力される画像データを画面表示する。この表示部としては、例えば液晶パネルや有機ＥＬ（Electro Luminescence）パネル、ＰＤＰ（Plasma Display Panel）など各種の表示装置が利用できる。発音部は、集音部やディスクドライブ部２００から出力される音データを、筐体１１０の外面に望んで設けられた図示しないスピーカで発音させる。
【００１２】
ディスクドライブ部２００は、撮像部から出力される画像データや集音部から出力される音データを、光ディスク１に記録する記録処理と、光ディスク１に記録された画像データや音データを読み取って表示部や発音部へ出力させる読取処理を実施する。このディスクドライブ部２００は、筐体１１０の開口部１１１が開口する一側面側に設けられている。このディスクドライブ部２００は、本体部２１０と、蓋体２２０と、覆い体２３０と、図示しない制御部と、などを備えている。
【００１３】
本体部２１０は、図２ないし図４に示すように、筐体１１０に取り付けられる台座部２１１を有している。この台座部２１１は、例えば金属板や合成樹脂などにて枠状に形成されている。そして、台座部２１１には、図１ないし図４に示すように、ディスク回転駆動部２１２が配設されている。このディスク回転駆動部２１２は、図２ないし図４に示すように、制御部にて駆動が制御されるスピンドルモータ２１２Ａと、このスピンドルモータ２１２Ａの図示しない出力軸に一体的に設けられたターンテーブル２１２Ｂとを備えている。ターンテーブル２１２Ｂは、いわゆるセルフチャック機構、すなわちターンテーブル２１２Ｂ自体で光ディスク１の孔部１Ａに嵌挿して軸支する構成を例示するが、例えば詳細は後述する蓋体２２０に回転子を回転自在に保持させ、この回転子とターンテーブル２１２Ｂとにて光ディスク１を挾持すなわちクランプする構成としてもよい。
【００１４】
また、台座部２１１には、制御部にて動作制御される情報処理部２１３が配設されている。この情報処理部２１３は、台座部２１１に配設された図示しない一対のガイドシャフト間に架橋する状態に支持されており、制御部にて動作制御される図示しない移動機構により台座部２１１の内周側をターンテーブル２１２Ｂに対して近接・離隔する状態に移動される。この情報処理部２１３は、図示しない光源と、この光源からの光を収束するピックアップレンズ２１３Ａと、光ディスク１で反射された出射光を検出する図示しない光センサとを有するピックアップを備えている。そして、情報処理部２１３は、光ディスク１を処理しない状態、具体的には電源が投入された際や蓋体２２０が開けられる際には制御部によりターンテーブル２１２Ｂから最も離間する待機位置に移動される。なお、蓋体２２０の開閉の検知としては各種スイッチや光あるいは磁気などの各種センサなどを利用すればよい。
【００１５】
そして、本体部２１０は、図１に示すように、ターンテーブル２１２Ｂと、ターンテーブル２１２Ｂから最も離間した待機位置に移動された情報処理部２１３とが開口部１１１に臨む状態に、台座部２１１が筐体１１０に取り付けられて配設されている。
【００１６】
蓋体２２０は、筐体１１０のリブ１１２の内周側に対応する形状の蓋板部２２１と、この蓋板部２２１の周縁に一方向にリブ１１２のように筒状に形成された周縁部２２２とを有している。そして、蓋体２２０は、周縁部２２２における角柱状部分側の端部近傍には、幅方向に回動中心軸となる状態に、リブ１１２に設けられた図示しない軸支部に軸支される図示しない軸部材が設けられている。そして、蓋体２２０は、半円状側が回動端となる状態にリブ１１２内に嵌挿される状態に回動し、開口部１１１を開閉する状態に筐体１１０に取り付けられている。
【００１７】
また、蓋体２２０には、蓋板部２２１の周縁部２２２が突出する側の面で軸部材側となる回動基端側に位置し、回動により筐体１１０のスリットに嵌挿する位置に対をなす係止部としての係止ピン部２２３が突設されている。これら係止ピン部２２３は、蓋体２２０が閉じる状態に回動される回動方向に向けて突出する凸状である柱状に形成され、先端部が少なくとも蓋体２２０の回動方向で曲面状に形成されている。
【００１８】
覆い体２３０は、図１に示すように、例えば合成樹脂製で、長方形板状の架橋板部２３１を有している。この架橋板部２３１の長手方向の一縁には、側方に向けて舌片状に突出する保護部２３１Ａが一連に設けられている。また、架橋板部２３１の長手方向の両端部には、一面側に段差状で長手方向に鍔状に突出するフランジ部２３２がそれぞれ設けられている。さらに、フランジ部２３２には、架橋板部２３１に対してフランジ部２３２が段差状となる側の面に、有底筒状で筐体１１０のスリットに摺動可能に嵌挿係合されるガイド部２３３が設けられている。そして、ガイド部２３３は、内周側がフランジ部２３２に対して架橋板部２３１が突出する側となる側に向けて開口する係合部としての係合凹部２３４となっている。この係合凹部２３４の底面は、図２ないし図４に示すように、一縁側が開口縁に向けて傾斜する状態に形成された傾斜面２３４Ａが設けられている。
【００１９】
そして、覆い体２３０は、ガイド部２３３がスリットに移動可能にそれぞれ嵌挿係合され、フランジ部２３２がスリットの開口縁に係止されて筐体１１０の一側面上を滑動する状態に、図１に示すように、本体部２１０の待機位置にある情報処理部２１３の一部を覆う、すなわち情報処理部２１３のピックアップレンズ２１３Ａに保護部２３１Ａが対向して覆う状態に、情報処理部２１３を跨ぐように配設される。この覆い体２３０は、図２ないし図４に示すように、係合凹部２３４の傾斜面２３４Ａが傾斜する浅い側が蓋体２２０の回動基端側に位置する状態に配設されている。さらに、覆い体２３０には、ガイド部２３３の端面に本体部２１０の台座部２１１との間に架設されたコイルばねなどの弾性部材２３５が取り付けられている。そして、覆い体２３０は、弾性部材２３５の弾性変形による復元力である引張力が作用され、ターンテーブル２１２Ｂ側に常時引っ張られる状態で、待機位置にある情報処理部２１３のピックアップレンズ２１３Ａを保護部２３１Ａで覆う状態に位置される。また、蓋体２２０の係止ピン部２２３が係合凹部２３４内に係合して傾斜面２３４Ａ上を滑動する押圧力が作用すると、覆い体２３０は弾性部材２３５を引っ張る状態に弾性変形させてターンテーブル２１２Ｂから離間する方向に移動され、保護部２３１Ａでピックアップレンズ２１３Ａを覆う状態を解除、すなわちピックアップレンズ２１３Ａが露出する状態に移動される。
【００２０】
なお、蓋体２２０が開けられたことを検出、あるいは覆い体２３０がピックアップレンズ２１３Ａを覆う位置に位置することを検出するため、例えば、図示しない検出スイッチを台座部２１１などに配設し、この検出スイッチから出力される検出信号に基づいて本体部２１０の制御部が情報処理部２１３を移動させる制御を実施すればよい。また、操作部の入力操作により蓋体２２０を開ける旨の操作信号に基づいて蓋体２２０が開けられることを制御部が認識して情報処理部２１３を移動させるようにしてもよい。
【００２１】
〔撮像装置の動作〕
次に、上記撮像装置１００の動作について説明する。
【００２２】
まず、利用者が操作部を操作して蓋体２２０を回動させ、図１に示すように、筐体１１０の一側面の開口部１１１を開放させる。この蓋体２２０を開ける回動により、蓋体２２０の係止ピン部２２３が覆い体２３０の係合凹部２３４に係合されて移動規制された状態が解除され、図１および図２に示すように、弾性部材２３５の引張力により覆い体２３０がターンテーブル２１２Ｂ側へ移動され、保護部２３１Ａが情報処理部２１３のピックアップレンズ２１３Ａに対向して覆う状態となる。この状態で利用者がターンテーブル２１２Ｂに光ディスク１を軸支させる。この光ディスク１の装着の際、光ディスク１の外縁部を保護部２３１Ａに載せるようにして架橋板部２３１の一側縁に突っ張る状態に当接させ、孔部１Ａにターンテーブル２１２Ｂを嵌挿させるようにすると、装着しやすい。この装着時に、ピックアップレンズ２１３Ａは保護部２３１Ａにて覆われているので、利用者の手や光ディスク１が情報処理部２１３に接触することはなく、情報処理部２１３は保護される。
【００２３】
そして、利用者が開口部１１１を閉塞する状態に蓋体２２０を回動させて閉める動作を実施することにより、蓋体２２０の係止ピン部２２３が覆い体２３０の係合凹部２３４内に挿入する状態となる。さらに利用者が蓋体２２０を閉める状態に回動させると、図３に示すように、係止ピン部２２３の先端部が係合凹部２３４の傾斜面２３４Ａに当接する。さらに利用者による蓋体２２０を筐体１１０に押し付ける押圧力が作用することで、押圧力の分力により、係止ピン部２２３の先端部が傾斜面２３４Ａ上を滑動しつつ、覆い体２３０が弾性部材２３５を引っ張る状態に弾性変形させてターンテーブル２１２Ｂから離間する方向に移動される。そして、蓋体２２０を閉めた状態では、図４に示すように、係止ピン部２２３が係合凹部２３４の傾斜面２３４Ａの深い位置に突っ張る状態に係合し、ピックアップレンズ２１３Ａの対向する位置から保護部２３１Ａが後退する状態となって覆う状態が解除され、ピックアップレンズ２１３Ａが露出する。さらには、ターンテーブル２１２Ｂに軸支された光ディスク１の周縁から覆い体２３０が離間する。このことにより、光ディスク１の情報処理が可能となる。この状態で、操作部を操作して撮像や録音を実施することで、生成した画像データや音データは光ディスク１に記録される。また、光ディスク１に記録された画像データや音データは、操作部の所定の入力操作により、表示部や発音部で適宜再生される。
【００２４】
なお、光ディスク１が情報処理などのためにディスク回転駆動部２１２にて回転している際に、誤って蓋体２２０が開けられた場合、上述したように、蓋体２２０の係止ピン部２２３による覆い体２３０の係合凹部２３４との係合状態が外れる。このことにより、弾性部材２３５の引張力により、覆い体２３０がターンテーブル２１２Ｂ側に移動されて覆い体２３０が光ディスク１の周縁に接触する状態となる。このため、覆い体２３０が回転する光ディスク１のブレーキとして作用し、直ちに光ディスク１の回転が停止するので、蓋体２２０が開けられて利用者が光ディスク１を触れる状態では既に回転が停止しており、不都合が生じない。
【００２５】
〔撮像装置の作用効果〕
上述したように、上記一実施の形態では、筐体１１０の開口部１１１に臨み光ディスク１を回転可能に保持するターンテーブル２１２Ｂ、および、開口部１１１に臨みターンテーブル２１２Ｂに保持された光ディスク１の情報処理を実施する情報処理部２１３を備えた本体部２１０を内部に配設する筐体１１０に、開口部１１１を開閉可能に閉塞する蓋体２２０を設ける。そして、蓋体２２０が開口部１１１を開放して開けられた状態で情報処理部２１３のピックアップレンズ２１３Ａを覆い、蓋体２２０が開口部１１１を閉塞して閉められた状態ではピックアップレンズ２１３Ａの覆う状態を解除して露出させるとともにターンテーブル２１２Ｂに軸支される光ディスク１の外周縁から離間する位置に移動される覆い体２３０を設けている。このため、光ディスク１の着脱の際に蓋体２２０が開けられて情報処理部２１３が露出する状態でも、利用者の手や光ディスク１が接触せず、移動する覆い体２３０を設ける簡単な構成で確実に情報処理部２１３を保護できる。そして、撮像装置や携帯型のディスクドライブなどのように、セルフチャッキング機能のターンテーブル２１２Ｂを備え蓋体２２０で光ディスク１の処理空間が開閉される構成では、光ディスク１の着脱時に利用者の手や光ディスク１自体が接触しやすいので、特に有効である。
【００２６】
そして、蓋体２２０に係止ピン部２２３を設け、蓋体２２０の開閉に応じて係止ピン部２２３が係脱する係合凹部２３４を覆い体２３０に設ける。係止ピン部２２３および係合凹部２３４は、蓋体２２０が開口部１１１を閉塞して閉じられた際に、係止ピン部２２３が係合凹部２３４に係合して情報処理部２１３を覆う位置から移動される状態に構成している。このため、蓋体２２０が開けられた状態では情報処理部２１３を弾性部材２３５などにて常時覆う状態とし、閉じられた状態で覆い体２３０を移動させる構成が容易に得られ、さらはこのような構成とすることで、確実に情報処理部２１３が保護される状態が容易に得られる。
【００２７】
さらに、このような覆い体２３０が情報処理部２１３を常時覆って蓋体２２０が閉められた時に覆い体２３０を移動させる構成として、弾性部材２３５を配設している。このため、簡単な構成で確実な情報処理部２１３の保護が得られる構成が容易に得られる。したがって、ディスクドライブ部２００の大型化が抑制され、撮像装置１００などの他の機能を備えた電気機器などでも、大型化を防止しつつディスクドライブ部２００を設けることが容易にできる。
【００２８】
また、蓋体２２０が閉じる状態に回動される回動方向に向けて突出する柱状に蓋体２２０の係止ピン部２２３を形成し、係止ピン部２２３が係脱可能で係止ピン部２２３の先端部が滑動することで覆い体２３０を移動させる傾斜面を有した凹状に覆い体２３０の係合凹部２３４を形成している。このため、簡単な構成で、蓋体２２０の開閉により情報処理部２１３を覆う状態および覆いを解除する状態に覆い体２３０を移動させる構成が得られる。
【００２９】
さらに、蓋体２２０が開口部１１１を開放して開けられた状態でターンテーブル２１２Ｂに保持された光ディスク１の外周縁に覆い体２３０が当接する状態に構成している。このため、誤って蓋体２２０が開けられても、直ちに光ディスク１の回転が停止され、蓋体２２０が開けられて利用者が光ディスク１を触れることができる状態では既に回転が停止しているので、光ディスク１やディスク回転駆動部２１２が損傷したり、回転する光ディスク１により利用者へ不快感を与えたりするなどの不都合を防止でき、光ディスク１を直ちに交換できるので利便性も向上できる。
【００３０】
そして、蓋体２２０が開けられた状態では、本体部２１０の制御部が情報処理部２１３をターンテーブル２１２Ｂから最も離間する待機位置に位置させるように制御し、この待機位置の情報処理部２１３のピックアップレンズ２１３Ａを覆う状態に覆い体２３０を配設している。このため、覆い体２３０が移動する情報処理部２１３の移動範囲全体を覆う構成にする必要がなく、小型化でき、覆い体２３０の移動距離も最小限に設定でき、小型化が容易に図れる。
【００３１】
また、覆い体２３０として、情報処理部２１３のピックアップレンズ２１３Ａを覆う構成としたので、舌片状の保護部２３１Ａを設ける簡単な構成で情報処理部２１３を保護でき、構成の簡略化や小型化が容易に得られ、覆い体２３０の製造性も向上できる。特に、利用者の手や光ディスク１の接触により損傷しやすく良好な情報処理が実施できなくなりやすい光ピックアップのピックアップレンズ２１３Ａを保護する構成であることから、最小限の構成で効率よく情報処理部２１３の保護が得られる。また、ピックアップレンズ２１３Ａを覆う構成であることから、塵埃が付着するなどの不都合も防止でき、良好な情報処理が得られる。そして、舌片状の保護部２３１Ａを一側から突出し、情報処理部２１３を覆う状態でターンテーブル２１２Ｂに軸支された光ディスク１の外周縁に覆い体２３０が当接する状態としているので、光ディスク１を装着する際に、保護部２３１Ａに載せて覆い体２３０の一側面に当接させるようにして装着することができ、光ディスク１の装着が容易にできる。
【００３２】
さらに、蓋体２２０に凸状の係止ピン部２２３を設け、本体部２１０側に配設した覆い体２３０に係合凹部２３４を設けたので、蓋体２２０が大型化することなく小型化が容易に得られる。
【００３３】
〔実施形態の変形〕
なお、本発明は、上述した一実施の形態に限定されるものではなく、本発明の目的を達成できる範囲で以下に示される変形をも含むものである。
【００３４】
すなわち、本発明のドライブ装置として撮像装置１００に設けたディスクドライブ部２００を例示したが、撮像装置１００のみならず、携帯型のドライブ装置、録画再生装置のドライブ装置、テレビやラジオなどの放送受信機に設けられるドライブ装置、音響装置のドライブ装置など、単体あるいは他の電気機器との複合形態など、各種ドライブ装置として適用できる。また、読取処理および記録処理の双方を実施する構成で説明したが、読取処理のみあるいは記録処理のみの情報処理を実施する構成としてもよい。さらに、情報処理として、光を利用する光ディスク１を記録媒体として説明したが、例えば磁気ディスクを対象として情報処理部としての磁気ヘッドを覆う構成とするなど各種方法が利用でき、光ディスク１や磁気ディスクに限らず、光磁気ディスク、さらにはレコード盤などの各種ディスク状の記録媒体を対象とすることができる。
【００３５】
そして、蓋体２２０として回動により開閉する構成としたが、例えばスライド移動により開閉する構成としてもよい。このような構成としては、例えば移動方向に対して交差する方向に突設した係止部を覆い体２３０の一側に当接させ、蓋体２２０の移動に対応して係止部にて移動させる構成などが例示できる。
【００３６】
また、蓋体２２０に係合凹部２３４を設け、覆い体２３０に係止ピン部２２３を設けるなど、係脱が逆となる構成としてもよい。さらには、蓋体２２０の開閉に応じて覆い体２３０を移動させ構成としては、係止ピン部２２３および係合凹部２３４の構成に限らず、例えば覆い体２３０と蓋体２２０の回動基端側とを連結部材にて連結し、蓋体２２０が開けられる際に連結部材を介して押し出すように覆い体２３０をターンテーブル２１２Ｂ側へ移動させて情報処理部２１３を覆う状態とし、蓋体２２０が閉められる際に連結部材にて引っ張られるように覆い体２３０を移動させるなど、いずれの構成が利用できる。さらには、蓋体２２０の回動に応じて覆い体２３０を移動させる構成として、係止ピン部２２３および係合凹部２３４の係脱による機械的な構成を例示したが、例えばスイッチなどにて開閉を検出し、モータなどの駆動手段にて覆い体２３０を移動させるなどの電気的制御を採用することもできる。
【００３７】
そして、情報処理部２１３のピックアップレンズ２１３Ａを覆う構成としたが、情報処理部２１３の略全体を覆う状態に架橋板部２３１および保護部２３１Ａを設けたり、例えば図５に示すように、略全体を覆う状態に突設した保護部２３１Ａの略中間にピックアップレンズ２１３Ａに対向する位置を切り欠いた構成としてもよい。この図５に示すような構成でも、ピックアップレンズ２１３Ａに利用者の指や光ディスク１の接触が防止できる。そして、ピックアップレンズ２１３Ａが露出する状態であることから、例えば光を出射させて光ディスク１の有無を光ピックアップで検出させるなどの制御にも利用でき、汎用性を向上できる。さらに、保護部２３１Ａの架橋板部２３１との接合する面積が増大し、保護部２３１Ａの損傷も防止できる。
【００３８】
また、弾性部材２３５を設けて説明したが、弾性部材２３５としては、引張力を作用させる構成に限らず、押圧力を作用させるように配設してもよく、ゴムや板ばねなどのいずれの弾性部材を利用することができる。さらには、上述した蓋体２２０と覆い体２３０とを連結するような構成などでは、弾性部材２３５を設けなくてもよい。
【００３９】
そして、覆い体２３０により情報処理部２１３を覆う状態で光ディスク１の外周縁に当接する状態で説明したが、光ディスク１の外周縁に常時当接しないように形成してもよい。
【００４０】
その他、本発明の実施の際の具体的な構造は、本発明の目的を達成できる範囲で他の構造などに適宜変更できる。
【００４１】
〔実施の形態の効果〕
上述したように、上記一実施の形態では、筐体１１０の開口部１１１に臨み光ディスク１を回転可能に保持するターンテーブル２１２Ｂ、および、開口部１１１に臨みターンテーブル２１２Ｂに保持された光ディスク１の情報処理を実施する情報処理部２１３を備えた本体部２１０を内部に配設する筐体１１０に、開口部１１１を開閉可能に閉塞する蓋体２２０を設ける。そして、蓋体２２０が開口部１１１を開放して開けられた状態で情報処理部２１３のピックアップレンズ２１３Ａを覆い、蓋体２２０が開口部１１１を閉塞して閉められた状態ではピックアップレンズ２１３Ａの覆う状態を解除して露出させるとともにターンテーブル２１２Ｂに軸支される光ディスク１の外周縁から離間する位置に移動される覆い体２３０を設けている。このため、光ディスク１の着脱の際に蓋体２２０が開けられて情報処理部２１３が露出する状態でも、利用者の手や光ディスク１が接触せず、移動する覆い体２３０を設ける簡単な構成で確実に情報処理部２１３を保護できる。
【図面の簡単な説明】
【００４２】
【図１】本発明のディスク装置を備えた一実施の形態に係る撮像装置の概略構成で蓋体が開けられた状態を示す外観斜視図である。
【図２】前記一実施の形態における撮像装置のディスクドライブ部における蓋体が開放した状態を示す断面図である。
【図３】前記一実施の形態におけるディスクドライブ部における蓋体が閉まる途中の状態を示す断面図である。
【図４】前記一実施の形態におけるディスクドライブ部における蓋体が閉まった状態を示す断面図である。
【図５】本発明のディスク装置を備えた他の実施の形態に係る撮像装置の概略構成で蓋体が開けられた状態を示す外観斜視図である。
【符号の説明】
【００４３】
１……記録媒体としての光ディスク
１１０……筐体
１１１……開口部
２００……ディスク装置としてのディスクドライブ部
２１０……本体部
２１２Ｂ…保持部としてのターンテーブル
２１３……情報処理部
２２０……蓋体
２２３……係止部としての係止ピン部
２３０……覆い体
２３４……係合部としての係合凹部
２３４Ａ…傾斜面
２３５……弾性部材
【図１】
2007134008.tif 000003
【図２】
2007134008.tif 000004
【図３】
2007134008.tif 000005
【図４】
2007134008.tif 000006
【図５】
2007134008.tif 000007